(57)【特許請求の範囲】
【請求項１】
自動車ドアのドアフレームに取付け、ウインドガラスの内面をシールする自動車用ウエザストリップにおいて、
上記ウインドガラスは、ドアに取付けられたディビジョン部材又は上記ドアフレームに保持されて昇降し、
上記ウエザストリップは、上記ウインドガラスの内面と上記ディビジョン部材又は上記ドアフレームの間をシールするシール部材を有し、
該シール部材は、取付基部と、該取付基部の上記ウインドガラス側の面から延設され、上記ウインドガラスの内面に当接するウインドガラス側シールリップと、該ウインドガラス側シールリップから上記取付基部方向に一体的に形成される支持部材又は上記取付基部から上記ウインドガラス側シールリップ方向に一体的に形成される支持部材と、上記取付基部の上記ディビジョン部材と当接する取付基部取付基準面から車内側方向で、かつ外周方向の斜めに延出するドア側シールリップと、上記取付基部の上記取付基部取付基準面の上記ドア側シールリップが延設された部分よりも内周方向から車内側方向に延設され上記ディビジョン部材に係合する取付係合部を有し、
上記シール部材の上記ウインドガラス側シールリップが上記ウインドガラスの内面に当接したときに、上記支持部材が上記取付基部又はウインドガラス側シールリップに当接して、上記取付基部を押圧するよう形成されたことを特徴とする自動車用ウエザストリップ。
【請求項２】
上記ドア側シールリップの根元部分に近接する上記取付基部取付基準面に、ドア側シールリップ溝が形成された請求項１に記載の自動車用ウエザストリップ。
【請求項３】
上記取付基部の上記取付基部取付基準面よりも外周方向の面に取付基部シールリップ側面を形成し、該取付基部シールリップ側面は、上記取付基部取付基準面よりも上記ドア側シールリップの肉厚以上の距離で車外側方向に位置する請求項１又は請求項２に記載の自動車用ウエザストリップ。
【請求項４】
上記取付係合部から内周方向に延設され、上記ディビジョン部材に当接する回転規制部材を形成した請求項１乃至請求項３いずれか１項に記載の自動車用ウエザストリップ。
【請求項５】
上記支持部材の先端又は根元の位置は、上記ドア側シールリップの先端部から車外側方向に延伸した線と、上記取付係合部の外周方向の端部から車外側方向に延伸した線の間に位置する請求項１乃至請求項４いずれか１項に記載の自動車用ウエザストリップ。
【請求項６】
上記支持部材は、上記ウインドガラス側シールリップの先端から屈曲して形成されるとともに、車内側方向でかつ内周方向に一体的に斜めに延設して形成された請求項１乃至請求項５いずれか１項に記載の自動車用ウエザストリップ。
【請求項７】
上記ウインドガラス側シールリップの根元部から内装部品の先端を覆う内装部品側シールリップが延設された請求項１乃至請求項６いずれか１項に記載の自動車用ウエザストリップ。
【発明の詳細な説明】
【技術分野】
【０００１】
本発明は、自動車ドアのドアフレームに取付け、ウインドガラスをシールするウエザストリップに関するものである。
【背景技術】
【０００２】
図４に示すように、自動車のドア１のドアフレーム２にウインドガラス５の内面をシールするウエザストリップ１２０が取付けられている。その従来のウエザストリップ１２０の全体を図３に示し、従来のそれぞれのウエザストリップがドアフレーム２の直線部に取付けた状態の断面図を図５に示す。
【０００３】
従来、ウエザストリップ１２０は、図３に示すように、ドアフレーム２の上辺部に取り付けられるウエザストリップ上辺部１２３と、ドアフレーム２のリヤ側縦辺部に取り付けられるウエザストリップリヤ側縦辺部１２５と、ドアフレーム２のフロント側縦辺部に取り付けられるウエザストリップフロント側縦辺部１２４を有する。ウエザストリップ上辺部１２３、ウエザストリップリヤ側縦辺部１２５及びウエザストリップフロント側縦辺部１２４は、押出成形により成形された直線部１２１を構成し、この直線部１２１を接続するウエザストリップコーナー部１２２を有している。
【０００４】
従来、ウインドガラス５とドアサッシュ８の間のシールは、図５に示すようなウエザストリップ１１０が使用されている（例えば、特許文献１参照。）。即ち、ドアサッシュ８に取付けられたウエザストリップ１１０は、ウインドガラス５の先端では、先端側のシールリップ１１１がウインドガラス５の先端又はスライダー部材６の先端に当接してシールし、その車内側方向で２本のシールリップ１１２、１１２がスライダー部材６に当接してシールしている。さらに、ウインドガラス５の内面では、シールリップ１１３がウインドガラス５の内面又はスライダー部材６の内面に当接してシールしている。
【０００５】
しかしながら、このような複雑な構造のウエザストリップ１１０では、ウエザストリップ１１０を取付けるドアにおいては、ウエザストリップ１１０を取付けるスペースが狭いため、組み付け作業性を確保するために、ウエザストリップ１１０を分割して形成して組み付ける場合がある。
【０００６】
ウエザストリップ１１０を分割してドアに取付ける場合には、分割したそれぞれのウエザストリップ１１０のシール部分を保持する保持部分の安定性が低下する場合がある。これにともなって、それぞれのウエザストリップ１１０のシール部分のシール性が低下することとなる。
【先行技術文献】
【特許文献】
【０００７】
【特許文献１】特開２００５−２５５１１３号公報
【発明の概要】
【発明が解決しようとする課題】
【０００８】
そこで、本発明は、分割して取付けられても、シール性に優れたウエザストリップを提供することを目的としている。
【課題を解決するための手段】
【０００９】
上記課題を解決するために請求項１の本発明は、自動車ドアのドアフレームに取付け、ウインドガラスの内面をシールする自動車用ウエザストリップにおいて、
ウインドガラスは、ドアに取付けられたディビジョン部材又はドアフレームに保持されて昇降し、
ウエザストリップは、ウインドガラスの内面とディビジョン部材又はドアフレームの間をシールするシール部材を有し、
シール部材は、取付基部と、取付基部のウインドガラス側の面から延設され、ウインドガラスの内面に当接するウインドガラス側シールリップと、ウインドガラス側シールリップから取付基部方向に一体的に形成される支持部材又は取付基部からウインドガラス側シールリップ方向に一体的に形成される支持部材と、取付基部のディビジョン部材と当接する取付基部取付基準面から車内側方向で、かつ外周方向の斜めに延出するドア側シールリップと、取付基部の取付基部取付基準面のドア側シールリップが延設された部分よりも内周方向から車内側方向に延設されディビジョン部材に係合する取付係合部を有し、
シール部材のウインドガラス側シールリップがウインドガラスの内面に当接したときに、支持部材が取付基部又はウインドガラス側シールリップに当接して、取付基部を押圧する様に形成されたことを特徴とする自動車用ウエザストリップである。
【００１０】
請求項１の本発明では、自動車ドアのドアフレーム周に取付け、ウインドガラスの内面をシールする自動車用ウエザストリップにおいて、ウインドガラスは、ドアに取付けられたディビジョン部材又はドアフレームに案内されて昇降する。このため、ウインドガラスは、ドア内をスムースに昇降することができる。
【００１１】
ウエザストリップは、ウインドガラスとディビジョン部材又はドアフレームの間をシールするシール部材を有する。このため、シール部材は、ディビジョン部材に取付けられると、ウインドガラスの内面に当接して、ウインドガラスの内面とディビジョン部材の間を確実にシールして、ドア内部に雨水や埃の進入を防止できる。
【００１２】
シール部材は、取付基部と、取付基部のウインドガラス側の面から延設され、ウインドガラスの内面に当接するウインドガラス側シールリップを有する。このため、取付基部をディビジョン部材に取付けると、ウインドガラス側シールリップがウインドガラスの内面に当接して、ウインドガラスの内面との間をシールすることができる。
【００１３】
ウインドガラス側シールリップから取付基部方向に一体的に形成される支持部材又は取付基部からウインドガラス側シールリップ方向に一体的に形成される支持部材を有するため、ウインドガラス側シールリップがウインドガラスの内面に当接すると、支持部材が取付基部又はウインドガラス側シールリップに当接して、ウインドガラス側シールリップからの押圧力を受けるとともに、取付基部を介して、ドア側シールリップをディビジョン部材に押圧してシール性を向上させることができる。
【００１４】
取付基部のディビジョン部材と当接する取付基部取付基準面から車内側方向で、かつ外周方向の斜めに延出するドア側シールリップを有する。このため、ウエザストリップの取付基部とディビジョン部材の間をシールすることができる。
取付基部の取付基部取付基準面のドア側シールリップが延設された部分よりも内周方向から車内側方向に延設されディビジョン部材に係合する取付係合部を有する。このため、取付係合部をディビジョン部材に挿入して、シール部材をディビジョン部材に保持させることができる。
【００１５】
シール部材のウインドガラス側シールリップがウインドガラスの内面に当接したときに、支持部材が取付基部又はウインドガラス側シールリップに当接して、取付基部を押圧するように形成されている。このため、ウインドガラスが閉じたときに、支持部材の押圧力が取付基部を介して、ドア側シールリップに伝達され、ドア側シールリップをディビジョン部材に押圧してシール性を向上させることができる。
【００１６】
請求項２の本発明は、ドア側シールリップの根元部分に近接する取付基部取付基準面に、ドア側シールリップ溝が形成された自動車用ウエザストリップである。
【００１７】
請求項２の本発明では、ドア側シールリップの根元部分に近接する取付基部取付基準面に、ドア側シールリップ溝が形成されたため、取付基部取付基準面からドア側シールリップに連続する部分に突出する部分がなく、シール部材の取付基部がディビジョン部材に安定して保持されることができ、シール性が向上する。
【００１８】
請求項３の本発明は、取付基部の取付基部取付基準面よりも外周方向の面に取付基部シールリップ側面を形成し、取付基部シールリップ側面は、取付基部取付基準面よりもドア側シールリップの肉厚以上の距離で車外側方向に位置する自動車用ウエザストリップである。
【００１９】
請求項３の本発明では、取付基部の取付基部取付基準面よりも外周方向の面に取付基部シールリップ側面を形成し、取付基部シールリップ側面は、取付基部取付基準面よりもドア側シールリップの肉厚以上の距離で車外側方向に位置する。このため、ドア側シールリップが撓んで取付基部に当接して、ドア側シールリップが取付基部を押し上げることが無く、取付基部がディビジョン部材に安定して保持されて、シール性を確保することができる。
【００２０】
請求項４の本発明は、取付係合部から内周方向に延設され、ディビジョン部材に当接する回転規制部材を形成した自動車用ウエザストリップである。
【００２１】
請求項４の本発明では、取付係合部から内周方向に延設され、ディビジョン部材に当接する回転規制部材を形成している。このため、シール部材のドア側シールリップの反力により、取付基部が回転しようとしても、回転規制部材がディビジョン部材に当接して、取付基部の回転を止めることができ、ドア側シールリップとウインドガラス側シールリップのシール性を向上させることができる。
【００２２】
請求項５の本発明は、支持部材の先端又は根元の位置は、ドア側シールリップの先端部から車外側方向に延伸した線と、取付係合部の外周方向の端部から車外側方向に延伸した線の間に位置する自動車用ウエザストリップである。
【００２３】
請求項５の本発明では、支持部材の先端又は根元の位置は、ドア側シールリップの先端部から車外側方向に延伸した線と、取付係合部の外周方向の端部から車外側方向に延伸した線の間に位置する。このため、支持部材が先端又は根元から、押圧力を確実に取付基部に伝達して、ドア側シールリップの反発力で取付基部が回転してシール性が低下することを防止できる。
【００２４】
請求項６の本発明は、支持部材は、ウインドガラス側シールリップの先端から屈曲して形成されるとともに、車外側方向で、かつ内周方向に一体的に斜めに延設して形成された自動車用ウエザストリップである。
【００２５】
請求項６の本発明では、支持部材は、ウインドガラス側シールリップの先端から屈曲して形成されるとともに、車外側方向で、かつ内周方向に一体的に斜めに延設して形成された。このため、ウインドガラス側シールリップがウインドガラスの内面に当接したときに、ウインドガラス側シールリップの先端が最も大きく撓んで、支持部材を確実に取付基部に押圧することができる。
【００２６】
請求項７の本発明は、ウインドガラス側シールリップの根元部から内装部品の先端を覆う内装部品側シールリップが延設された自動車用ウエザストリップである。
【００２７】
請求項７の本発明では、ウインドガラス側シールリップの根元部から内装部品の先端を覆う内装部品側シールリップが延設された。このため、シール部材と内装部品の間を塞ぐことができ、見栄えを向上させることができる。
【発明の効果】
【００２８】
ウインドガラス側シールリップから取付基部方向に一体的に形成される支持部材又は取付基部からウインドガラス側シールリップ方向に一体的に形成される支持部材を有するため、ウインドガラス側シールリップがウインドガラスの内面に当接すると、支持部材が、取付基部を押圧する力が発生する。このため、ウインドガラスが閉じたときに、支持部材の押圧力が取付基部を介して、ドア側シールリップに伝達され、ドア側シールリップをディビジョン部材に押圧してシール性を向上させることができる。
【図面の簡単な説明】
【００２９】
【図１】本発明の第１の実施の形態であるウエザストリップの断面図である。
【図２】本発明の第２の実施の形態であるウエザストリップの断面図である。
【図３】本発明の実施の形態であるウエザストリップの正面図である。
【図４】自動車ドアの正面図である。
【図５】従来のウエザストリップをドアフレームの縦辺部に装着した状態の断面図である。
【発明を実施するための形態】
【００３０】
本発明の実施の形態を、図１〜図４に基づき説明する。
図４は、自動車のフロント側のドア１の正面図であり、図３は、ドア１のドアフレーム２に取付けるフロントドアのウエザストリップ２０の正面図である。図４に示すように、ドア１の上部にはドアフレーム２が設けられ、ウインドガラス５が昇降自在に取付けられる。すなわち、ドアフレーム２には、ウエザストリップ２０が取付けられ、ウインドガラス５とドアフレーム２との間をシールしている。
【００３１】
ウエザストリップ２０は、図３に示すように、全体として熱可塑性エラストマー又は合成ゴムで形成されるとともに、押出成形で形成された直線部２１と、ドアフレーム２のコーナー部２ｅに取付けられ、上記の直線部２１を接続し、型成形で形成されるコーナー部２２からなる。
【００３２】
直線部２１は、ドアフレーム２の上辺部に取付けられるウエザストリップ上辺部２３と、ドアフレーム２のフロント側縦辺部に取付けられるウエザストリップフロント側縦辺部２４と、ドアフレーム２のリヤ側縦辺部をなすディビジョンサッシュに取付けられるウエザストリップリヤ側縦辺部２５とからなる。
【００３３】
これらの押出成形部分をドアフレーム２に対応した形状となるように、フロント側とリヤ側のそれぞれのコーナー部分において、型成形により成形して直線部２１を接続してコーナー部２２が形成されている。なお、ウエザストリップ２０のコーナー部２２は、ドアフレーム２のコーナー部２ｅの部分に装着される。
【００３４】
図１に基づき、本願発明の第１の実施の形態のウエザストリップ２０のウエザストリップフロント側縦辺部２４について説明する。本願発明の実施の形態では、フロント側ドアに取付けられるウエザストリップフロント側縦辺部２４を例にとり説明するが、本願発明は、フロントドア及びリヤドアの他の部位に取付けられるウエザストリップ２０についても使用することができる。
【００３５】
なお、図１において、上方向は車外側方向を示し、下方向は、車内側方向を示し、右方向は、ドアフレーム２とウエザストリップ２０の内周方向を示し、左方向は、ドアとウエザストリップ２０の外周方向を示す。
【００３６】
図１に示すように、本願発明のウエザストリップ２０は、ウインドガラス５の内面とディビジョン部材１０の間をシールするシール部材４０に関するものであるが、このシール部材４０に加えて、ウインドガラス５の先端とディビジョン部材１０の間をシールするシール部材や、スライダー部材とディビジョン部材１０の間をシールするシール部材を合わせて使用することができる。
【００３７】
まず、ディビジョン部材１０について説明し、その後、シール部材４０について説明する。
ディビジョン部材１０は、アルミニウムの押出成形で形成される。ディビジョン部材１０は、シール部材４０を取付けるシール部材取付部１３を有する。また、ウインドガラス５の先端とディビジョン部材１０の間をシールするシール部材や、スライダー部材とディビジョン部材１０の間をシールするシール部材を取付けるシール部材取付部を設けることができる。
【００３８】
シール部材取付部１３は、上面が塞がれた断面長方形状に形成され、上面は後述するシール部材４０のドア側シールリップ４５が当接するシール部材取付基準面１３ａを形成する。
シール部材取付部１３の内周方向の外面には、後述するシール部材４０の取付係合部４６が係合されるシール部材取付部溝部１３ｂが形成されている。シール部材取付部溝部１３ｂには、後述する回転規制部４７が当接するシール部材取付部段部１３ｃが形成されている。
【００３９】
シール部材取付部１３は、ドアアウターパネル２ａとドアインナーパネル２ｂにシール部材取付ネジ１５で固定されている。
なお、ウインドガラス５の先端の内面側に、断面略Ｕ字形のスライダー部材を取付けることができる。スライダー部材は、一方の側壁は、ウインドガラス５の内面の先端に接着剤で取付けられている。スライダー部材の断面Ｕ字形の内部には、スライダー部材の摺動を案内するウエザストリップを取付ける。
【００４０】
次に、シール部材４０について説明する。
シール部材４０は、それぞれ押出成形で形成され、合成ゴムまたは熱可塑性エラストマー等で形成される。本実施の形態では、同じ材料を使用するが、異なる材料で形成することもできる。
【００４１】
本実施の形態では、ウインドガラス５の内面とディビジョン部材１０の間をシールするシール部材４０を使用するが、ウインドガラス５の先端とディビジョン部材又は三角ガーニッシュ部の間をシールするシール部材と、スライダー部材とディビジョン部材の間をシールするシール部材を合わせて使用する場合には、それぞれのシール部材は、分離して形成されている。
【００４２】
この場合には、シール部材４０は、ウインドガラス５の内面とディビジョン部材１０の間をシールし、他のシール部材は、ウインドガラス５の先端とディビジョン部材１０又は三角ガーニッシュ部の間をシールするとともに、ウインドガラス５と車体開口部周縁の間をシールすることができる。さらにシール部材４０と、他のシール部材を分割して形成した場合には、製造が容易であるとともに、それぞれのシール部材を別々にディビジョン部材１０に取付けることができ、取付作業が容易である。
【００４３】
次に、図１に基づき、本願発明の第１の実施の形態のシール部材４０について説明する。シール部材４０は、断面が板状の取付基部４４と、取付基部４４のウインドガラス５側の面の側端から外周方向で、かつ車外側方向の斜めに延設され、ウインドガラス５の内面に当接するウインドガラス側シールリップ４１を有する。
【００４４】
ウインドガラス側シールリップ４１は、取付基部４４からウインドガラス５の先端方向に斜めに延出され、ウインドガラス５が閉じられたときに、ウインドガラス５の内面に当接して、ウインドガラス５の内面とシール部材４０との間をシールすることができる。
【００４５】
ウインドガラス側シールリップ４１は、ウインドガラス５と当接する面である車外側方向に低摺動層を形成することができる。低摺動層は、熱可塑性エラストマーのオレフィン部分の比率が多い摺動抵抗の少ない材料や、シリコン樹脂やウレタン樹脂を塗布して形成することができる。
【００４６】
ウインドガラス側シールリップ４１の先端から取付基部４４方向（車内側方向）でかつ、内周方向に斜めに一体的にリップ状の支持部材４２が屈曲して形成されている。支持部材４２の先端は、ウインドガラス５が開いているときは、取付基部４４の車外側方向の面から離れているように形成され、ウインドガラス５が閉じているときは、取付基部４４の車外側方向の面に当接するように形成されている。
【００４７】
このため、ウインドガラス５が閉じているときに、ウインドガラス側シールリップ４１がウインドガラス５の内面に当接して、ウインドガラス側シールリップ４１の先端が大きく撓んで、支持部材４２の先端が、取付基部４４を押圧して、確実に取付基部４４を押圧することができる。
【００４８】
支持部材４２の先端の位置は、後述するドア側シールリップ４５の先端部から車外側方向に延伸した線と、後述する取付係合部４６の外周方向の端部から車外側方向に延伸した線の間に位置することが好ましい。この場合には、支持部材４２の先端が取付基部４４に当接して、押圧力を確実に取付基部４４に伝達して、後述するドア側シールリップ４５の反発力で取付基部４４が回転してシール性が低下することを防止できる。
【００４９】
ディビジョン部材１０のシール部材取付部１３のシール部材取付基準面１３ａと当接する取付基部取付基準面４４ａから車内側方向で、かつ外周方向に斜めに延出するドア側シールリップ４５が形成されている。ドア側シールリップ４５の先端は、ディビジョン部材１０のシール部材取付基準面１３ａに当接する。
【００５０】
前述のように、ウインドガラス側シールリップ４１の先端が大きく撓んで、支持部材４２の先端が、取付基部４４を押圧したときに、ドア側シールリップ４５の先端は、ディビジョン部材１０のシール部材取付基準面１３ａに強く当接して、シール部材取付基準面１３ａとの間のシール性を向上させることができる。
【００５１】
ドア側シールリップ４５の根元部分に近接する取付基部取付基準面４４ａに、ドア側シールリップ溝４５ａが形成されている。このため、ドア側シールリップ４５の根元部は、取付基部取付基準面４４ａよりも車外側で取付基部４４と連結して、シール部材取付基準面１３ａに対してドア側シールリップ４５の柔軟に変形が可能な部分で当接することになるため、シール部材４０の取付基部４４がディビジョン部材１０のシール部材取付基準面１３ａに安定して保持されることができ、シール性が向上する。
【００５２】
取付基部４４のシール部材取付基準面１３ａと対向する面において、取付基部取付基準面４４ａよりも外周方向で、ドア側シールリップ４５の根元部分よりも外周方向の面は、取付基部シールリップ側面４４ｂを形成する。取付基部シールリップ側面４４ｂは、取付基部取付基準面４４ａよりもドア側シールリップ４５の肉厚以上の距離を離れて車外側方向に位置する。
【００５３】
このため、ドア側シールリップ４５が撓んで、シール部材取付基準面１３ａと取付基部シールリップ側面４４ｂの間に挟まれても、ドア側シールリップ４５が取付基部４４を押し上げることが無く、取付基部４４の取付基部取付基準面４４ａがディビジョン部材１０のシール部材取付基準面１３ａに安定して保持されて、シール性を確保することができる。
【００５４】
取付基部４４のウインドガラス５と対向する面からウインドガラス側シールリップ４１とは反対方向である内周方向に内装部品側シールリップであるガーニッシュ側シールリップ４３が形成されている。ガーニッシュ側シールリップ４３の先端は、内周側に取付けられた内装部品であるガーニッシュ４の先端に当接してガーニッシュ４とシール部材４０の間を覆い、見栄えを向上させている。
【００５５】
取付基部４４は、取付基部４４の取付基部取付基準面４４ａのドア側シールリップ４５が延設された部分よりも内周側から車内側方向に延設され、ディビジョン部材１０のシール部材取付部溝部１３ｂに係合する取付係合部４６を有する。取付係合部４６の先端は、鍵状に屈曲して形成され、シール部材取付部溝部１３ｂに係合している。これにより、取付係合部４６をディビジョン部材１０のシール部材取付部溝部１３ｂに挿入して、シール部材４０をディビジョン部材１０のシール部材取付部１３に保持させることができる。
【００５６】
取付係合部４６から内周方向に、ディビジョン部材１０のシール部材取付部溝部１３ｂに形成されたシール部材取付部段部１３ｃに当接する回転規制部４７が延設されている。ドア側シールリップ４５がシール部材取付基準面１３ａに当接して取付基部４４を取付係合部４６の先端を中心に回転させようとしても、回転規制部４７がディビジョン部材１０のシール部材取付部段部１３ｃに当接して、取付基部４４の回転を止めることができ、シール部材４０の姿勢を安定して維持させることができ、ガラス摺動時のずれや脱落を防止して、ドア側シールリップ４５とウインドガラス側シールリップ４１のシール性を向上させることができる。
【００５７】
次に、図２に基づき、本願発明の第２の実施の形態について説明する。第２の実施の形態は、第１の実施の形態と比べて、支持部材４２及び回転規制部４７の形状が異なるとともに、ガーニッシュ側シールリップ４３が無いことが異なり、他の部分は同様であるため、同様な部分の説明は省略する。
【００５８】
第２の実施の形態のシール部材４０は、取付基部４４から延設され、ウインドガラス５の内面に当接するウインドガラス側シールリップ４１を有するが、ウインドガラス側シールリップ４１の先端から支持部材４２が延設されていない。第２の実施の形態の支持部材４８は、取付基部４４からウインドガラス側シールリップ４１の先端方向に斜めに延設されている。
【００５９】
このため、ウインドガラス５が閉じているときに、ウインドガラス側シールリップ４１がウインドガラス５の内面に当接して、ウインドガラス側シールリップ４１の先端が大きく撓んで、支持部材４８に当接して、支持部材４８を押圧して、支持部材４８の根元が確実に取付基部４４を押圧することができる。
【００６０】
支持部材４８の根元の位置は、ドア側シールリップ４５の先端部から車外側方向に延伸した線と、後述する取付係合部４６の外周方向の端部から車外側方向に延伸した線の間に位置することが好ましい。この場合には、支持部材４８の根元が取付基部４４を押圧して、押圧力を確実に取付基部４４に伝達して、ドア側シールリップ４５の反発力で取付基部４４が回転してシール性が低下することを防止できる。
【００６１】
第１の実施の形態と同様に、ディビジョン部材１０のシール部材取付部１３のシール部材取付基準面１３ａと当接する取付基部取付基準面４４ａから車内側方向で、かつ外周方向に斜めに延出するドア側シールリップ４５が形成されている。
また、同様に、ドア側シールリップ４５の根元部分に近接する取付基部取付基準面４４ａに、ドア側シールリップ溝４５ａが形成されている。
【００６２】
第２の実施の形態では、ガーニッシュ側シールリップ４３は形成されていないが、ガーニッシュ４が取付けられる場合には形成することができる。
取付基部４４は、ディビジョン部材１０のシール部材取付部溝部１３ｂに係合する取付係合部４６を有する。取付係合部４６の先端は、鍵状に屈曲して形成され、シール部材取付部溝部１３ｂに係合している。
【００６３】
取付係合部４６から内周方向に、取付基部４４から連続的に一体的に延設され、ディビジョン部材１０のシール部材取付部１３の先端面に当接する回転規制部４７が延設されている。ドア側シールリップ４５がシール部材取付基準面１３ａに当接して取付基部４４を取付係合部４６の先端を中心に回転させようとしても、回転規制部４７がディビジョン部材１０のシール部材取付部１３の先端面に当接して、取付基部４４の回転を止めることができ、ドア側シールリップ４５とウインドガラス側シールリップ４１のシール性を向上させることができる。
【符号の説明】
【００６４】
２  ドアフレーム
５  ウインドガラス
１０  ディビジョン部材
４０  ウエザストリップ
４１  ウインドガラス側シールリップ
４２  支持部材
４４  取付基部
４５  ドア側シールリップ
４６  取付基部
４７  回転規制部
【図１】
0006485386.tif 000002
【図２】
0006485386.tif 000003
【図３】
0006485386.tif 000004
【図４】
0006485386.tif 000005
【図５】
0006485386.tif 000006